(57)【要約】【課題】防水用ゴム栓を強固にかしめることのできるコネクタ用ターミナルを提供することを目的とする。【解決手段】コネクタ用ターミナル１０は、防水用ゴム栓２０をかしめるためのインシュレーションバレル１４を備え、インシュレーションバレル１４は基部１５と基部１５から互いに反対方向に延びた一対の防水かしめ片１６を備えている。各々の防水かしめ片１６はかしめ時にかしめ治具が当接する先端部１７と、基部１５と先端部１７とを接続する接続部１８とによって構成されている。先端部１７は幅広に形成されているため、かしめ時に、かしめ治具に対して安定して当接し、接続部１８は幅狭に形成されているため、剛性が低く曲がりやすく、防水用ゴム栓２０を十分にかしめることができ、かしめ後に防水かしめ片１６の起き上がりを低減することができる。【選択図】  図３
2004311286.tif 000002
【特許請求の範囲】
【請求項１】
防水用ゴム栓をかしめるためのバレルを備えたコネクタ用ターミナルであって、前記バレルは基部から互いに反対方向に延設された一対のかしめ片を含み、前記かしめ片はかしめ時にかしめ治具が当接する先端部と、前記先端部と前記基部とを連結する接続部により構成され、前記先端部を幅広に形成するとともに前記接続部を幅狭に形成したことを特徴とするコネクタ用ターミナル。
【請求項２】
前記バレルで前記防水用ゴム栓をかしめた時、前記一方のかしめ片で前記他方のかしめ片を押さえることを特徴とする請求項１記載のコネクタ用ターミナル。
【請求項３】
防水用ゴム栓をかしめるためのバレルを備えたコネクタ用ターミナルであって、前記バレルはかしめ前に円周上の端部が閉じられた円筒形に形成されており、前記防水用ゴム栓が内挿された前記バレルの軸方向の途中位置を、軸中心方向に押圧することによってかしめられることを特徴とするコネクタ用ターミナル。
【発明の詳細な説明】
【０００１】
【発明の属する技術分野】
本発明は、防水用ゴム栓をかしめるためのバレルを備えたコネクタ用ターミナルに関する。
【０００２】
【従来の技術】
先細り形状の一対のかしめ片を電線にかしめるコネクタ用ターミナルに関する従来技術があった（例えば、特許文献１参照）。
【０００３】
【特許文献１】
実開昭６０−１３０５７１号公報（第５図および第６図）
【０００４】
【発明が解決しようとする課題】
図１２および図１３に示すように、この従来技術のかしめ片形状によるコネクタ用ターミナル３を、防水用ゴム栓２をかしめるために使用する場合、すなわち、電線１を挿通した防水用ゴム栓２を、図１３においてかしめ治具５を下方に移動させて、かしめ片４を曲げることによってかしめる場合、かしめ片４の先端部の幅が狭いため、かしめ時に押圧されてもかしめ片４の先端部がかしめ治具５から（図１３において紙面に垂直な方向に）逃げて、かしめ治具５のかしめ片４への当たりが悪く、かしめが不十分となる。
【０００５】
すなわち図１２に示すように、かしめ後もスプリングバックによって、かしめ片４が起きた状態となって、防水用ゴム栓２を内周側に含んだかしめ片４は中心軸からの距離が大きくなって、ターミナル３をコネクタハウジングに収容する場合に、他部材への引っかかりが発生する。また、防水用ゴム栓２のかしめが不十分なために、防水性が満足されずにコネクタ内に外部からの水の浸入の虞があった。
【０００６】
本発明は上述のような事情に基づいて完成されたものであって、防水用ゴム栓を強固にかしめることのできるコネクタ用ターミナルを提供することを目的とする。
【０００７】
【課題を解決するための手段】
上述の目的を達成するための手段として、請求項１の発明は、防水用ゴム栓をかしめるためのバレルを備えたコネクタ用ターミナルであって、前記バレルは基部から互いに反対方向に延設された一対のかしめ片を含み、前記かしめ片はかしめ時にかしめ治具が当接する先端部と、前記先端部と前記基部とを連結する接続部により構成され、前記先端部を幅広に形成するとともに前記接続部を幅狭に形成したことを特徴とするコネクタ用ターミナルとした。
【０００８】
また、請求項１の一手段の発明は、前記先端部を前記接続部よりも幅広としたことを特徴とする請求項１記載のコネクタ用ターミナルとした。
【０００９】
請求項２の発明は、前記バレルで前記防水用ゴム栓をかしめた時、前記一方のかしめ片で前記他方のかしめ片を押さえることを特徴とする請求項１記載のコネクタ用ターミナルとした。
【００１０】
請求項３の発明は、防水用ゴム栓をかしめるためのバレルを備えたコネクタ用ターミナルであって、前記バレルはかしめ前に円周上の端部が閉じられた円筒形に形成されており、前記防水用ゴム栓が内挿された前記バレルの軸方向の途中位置を、軸中心方向に押圧することによってかしめられることを特徴とするコネクタ用ターミナルとした。
【００１１】
【発明の作用及び効果】
＜請求項１の発明＞
かしめ片の先端部を幅広に形成するとともに接続部を幅狭に形成したことにより、先端部のプレス型への当たりが安定するとともに、接続部は剛性が低くかしめられやすいことにより、かしめが不十分になることがなく、かしめ後にかしめ片が起き上がることがない。また、防水用ゴム栓を強固にかしめることができるため、防水不良を低減できる。更に、かしめ後に、かしめ片が広がってかしめ前の形状に戻ろうとしても、先端部が幅広に形成されているため、先端部同士が互いに係合して広がることを防ぐことができる。
【００１２】
＜請求項１の一手段の発明＞
先端部を接続部よりも幅広としたことにより、先端部のプレス型への当たりが安定するとともに、接続部は先端部よりも剛性が低くかしめられやすいことにより、接続部が十分にかしめられ、かしめ後にかしめ片が起き上がることがなく、また、防水用ゴム栓の防水不良を低減できる。
【００１３】
＜請求項２の発明＞
かしめた時、一方のかしめ片で他方のかしめ片を押さえることにより、かしめ後のかしめ片の起き上がりを更に防ぐことができる。
【００１４】
＜請求項３の発明＞
かしめ前に円周上の端部が閉じられた円筒形に形成されたバレルの、軸方向の途中位置を軸中心方向に押圧することによってかしめることで、かしめ後にかしめ片が起き上がることがなく、また、防水用ゴム栓を強固にかしめることができるため、防水不良を低減できる。
【００１５】
【発明の実施の形態】
＜第１実施形態＞
本発明の第１実施形態を図１乃至図４によって説明する。図１においてコネクタ用ターミナル１０は雌側ターミナルで、相手側ターミナル（図示せず）と嵌合する嵌合部１１、嵌合部１１に連続し電線３０の芯線３１にかしめられるワイヤバレル１２およびコネクタ用ターミナル１０の端部に形成され、防水用ゴム栓２０をかしめるインシュレーションバレル１４とによって構成されている。
【００１６】
図１に示すように、電線３０は防水用ゴム栓２０に挿通され、コネクタ用ターミナル１０のワイヤバレル１２にかしめられるために、先端部において絶縁層３２が取り除かれて芯線３１が露出している。防水用ゴム栓２０はコネクタ用ターミナル１０のインシュレーションバレル１４にかしめられるための圧着部２１と、図示しないコネクタハウジングとの間で、シール機能を発揮するシール部２３とによって構成されている。シール部２３の外周部にはコネクタハウジングに当接するシール用突条２４が形成されている。
【００１７】
図２に示すように、コネクタ用ターミナル１０のワイヤバレル１２は、展開した状態で左右に延びた一対のワイヤかしめ片１３を備えている。また、インシュレーションバレル１４はワイヤバレル１２に接続された基部１５と、展開した状態で基部１５から互いに反対方向に延びた一対の防水かしめ片１６を備えている。図に示すように、防水かしめ片１６は図の上下方向に互いに位置がずらされて形成されている。
【００１８】
各々の防水かしめ片１６は、防水用ゴム栓２０をかしめる時にかしめ治具が当接する先端部１７と、先端部１７と基部１５とを接続する接続部１８とによって構成されており、本実施形態においては先端部１７を防水かしめ片１６の延びる方向に垂直な方向（図２において上下方向）に幅広とし、先端部１７から基部１５に向けて、接続部１８を徐々に幅狭にしている。したがって、先端部１７は接続部１８のどの部位よりも幅広に形成されている。先端部１７は、後述するようにかしめ治具にてかしめられる時に、かしめ治具から逃げない程度に幅広に形成されている。
【００１９】
コネクタ用ターミナル１０は、図１３に示したものと同様のかしめ治具にて、図３および図４に示すように、防水かしめ片１６の一部が互いに当接し合う、あるいは間隔をおいて隣り合うようにかしめられる。上述したように、防水かしめ片１６の先端部１７は幅広に形成されており、かしめ時にかしめ治具の当たり面から逃げることがなく、しっかりとかしめ治具に当接するため、安定したかしめ荷重が加えられることができる。また、先端部１７と基部１５とを接続する接続部１８を幅狭に形成しているため、剛性を低下させることができ、先端部１７に加えた荷重によって無理なく曲げることができる。
【００２０】
したがって、図４に示すように防水かしめ片１６は、かしめ後に起き上がることなく、防水用ゴム栓２０をかしめたコネクタ用ターミナル１０をコネクタハウジング内に収容する場合に、防水かしめ片１６が他部材に引っかかることなく、また、防水用ゴム栓２０の防水性も向上できる。また、かしめ後に、防水かしめ片１６が広がってかしめ前の形状に戻ろうとしても、先端部１７が幅広に形成されているため、図３から分かるように先端部１７同士が係合して互いに広がることを防ぐことができる。
【００２１】
＜第２実施形態＞
本発明の第２実施形態を図５および図６によって説明する。第２実施形態によるコネクタ用ターミナル１０は、双方の防水かしめ片１６の一部が互いに重なり合うようにかしめられる。これによって一方の防水かしめ片１６が他方の防水かしめ片１６によって押さえられて、かしめ後の防水かしめ片１６の起き上がりを防ぐことができる。
【００２２】
＜第３実施形態＞
次に、本発明の第３実施形態を図７によって説明する。図７において第１実施形態に対して異なる点のみについて説明する。本実施形態においては、インシュレーションバレル１４´の防水かしめ片１６´を構成する、幅広の先端部１７と基部１５とを、先端部１７よりも狭い一定の幅によって形成された接続部１８´によって接続している。本実施形態によるコネクタ用ターミナル１０´においても、先端部１７は幅広に形成されており、先端部１７と基部１５とを接続する接続部１８´を幅狭に形成しているため、第１実施形態と同様に、防水かしめ片１６´は十分にかしめることができ、かしめ後に起き上がることがない。
【００２３】
＜第４実施形態＞
図８乃至図１０は本発明の第４実施形態を示す。コネクタ用ターミナル４０は第１実施形態と同様に、相手側ターミナル（図示せず）と嵌合する嵌合部４１、嵌合部４１に連続し、一対のワイヤかしめ片４３を備え電線３０の芯線３１にかしめられるワイヤバレル４２およびコネクタ用ターミナル４０の端部に形成され、防水用ゴム栓５０をかしめるインシュレーションバレル４４とによって構成されている。本実施形態におけるインシュレーションバレル４４はクローズドバレルと呼ばれるもので、かしめ前において、その円周上の端部４５が互いに閉じられた円筒形に形成されている。
【００２４】
図に示すように、電線３０は第１実施形態のものと同様のものであって、防水用ゴム栓５０に挿通されており、先端部は絶縁層３２が取り除かれて芯線３１が露出している。防水用ゴム栓５０はコネクタ用ターミナル４０のインシュレーションバレル４４にかしめられるための圧着部５１と、図示しないコネクタハウジングとの間で、シール機能を発揮するシール部５３とによって構成されている。シール部５３の外周部にはコネクタハウジングに当接するシール用突条５４が形成されている。更に、圧着部５１の端部には、かしめ後にインシュレーションバレル４４が圧着部５１から脱落しないように段部５２が形成されている。
【００２５】
以下、第４実施形態によるコネクタ用ターミナル４０のかしめ方法について説明する。電線３０が挿通された防水用ゴム栓５０の圧着部５１に、コネクタ用ターミナル４０のインシュレーションバレル４４を、段部５２を乗越えさせて挿入する。その後、図９および図１０に矢印にて示したように、バレル４４の軸方向の中間の位置であって、かつ、その円周上互いに等間隔にある３箇所の位置において、半径方向外方から中心軸方向に向けて強固にかしめられる。
【００２６】
インシュレーションバレル４４の外周面には、かしめられることによって３箇所の凹部ＣＰが形成され、凹部ＣＰの形成によって押しのけられた防水用ゴム栓５０のボリュームは、凹部ＣＰを挟んで両側（図９において凹部ＣＰの上下）に振り分けられるため、凹部ＣＰの両側のボリュームが増えて、防水用ゴム栓５０がインシュレーションバレル４４から抜けることを防止できる。
【００２７】
また、かしめ前からインシュレーションバレル４４の円周上の端部４５は閉じているため、かしめた後に端部４５が起き上がることなく、コネクタ用ターミナル４０をコネクタハウジング内に収容する際の妨げとなることがない。更に、強固にかしめを行ってもインシュレーションバレル４４の端部４５によって、防水用ゴム栓５０を挟むこともない。
【００２８】
＜第５実施形態＞
クローズドバレルを用いたインシュレーションバレル４４を、図１１に矢印で示すように、その円周上の端部４５を挟んで、その両側から押圧して端部４５が半径方向外方を向くようにかしめてもよい。こうすることによって、かしめ後に端部４５のエッジ部によって防水用ゴム栓５０が挟まれて傷つくことが、更に、低減される。本実施形態においては、かしめ後にインシュレーションバレル４４の端部４５が外方に向いているが、図に示すように外周部から突出する量は少ないため、コネクタ用ターミナル４０をコネクタハウジング内に収容する際の妨げとなることはない。
【００２９】
＜他の実施形態＞
本発明は上述の記載および図面によって説明した実施形態に限定されるものではなく、例えば次のような実施形態も本発明の技術的範囲に含まれ、さらに、以下のもの以外にも、要旨を逸脱しない範囲内で種々変更して実施することができる。
（１）本発明は雄側のコネクタ用ターミナルにも適用可能である。
（２）第４実施形態においてインシュレーションバレルの円周上のかしめ箇所は、３箇所でなければならないわけではなく、機能を満足する範囲内においてその数を決定することができる。
（３）第４実施形態においてインシュレーションバレルの軸方向のかしめ箇所は、その中間位置でなくてもよく、図９において上下に移動させてもよい。
【図面の簡単な説明】
【図１】第１実施形態によるコネクタ用ターミナルで防水用ゴム栓をかしめる前の斜視図である。
【図２】図１に示したコネクタ用ターミナルの展開図である。
【図３】図１に示したコネクタ用ターミナルで防水用ゴム栓をかしめた時の平面図である。
【図４】図３のＡ−Ａ断面図である。
【図５】第２実施形態によるコネクタ用ターミナルで防水用ゴム栓をかしめた時の平面図である。
【図６】図５のＢ−Ｂ断面図である。
【図７】第３実施形態によるコネクタ用ターミナルの展開図である。
【図８】第４実施形態によるコネクタ用ターミナルで防水用ゴム栓をかしめる前の斜視図である。
【図９】図８に示したコネクタ用ターミナルで防水用ゴム栓をかしめた時の平面図である。
【図１０】図９のＣ−Ｃ断面図である。
【図１１】第５実施形態によるコネクタ用ターミナルで防水用ゴム栓をかしめた時の断面図である。
【図１２】従来技術によるコネクタ用ターミナルで防水用ゴム栓をかしめた時の断面図である。
【図１３】コネクタ用ターミナルにかしめ治具を装着して防水用ゴム栓をかしめる時のようすを示す図である。
【符号の説明】
１０、１０´、４０…コネクタ用ターミナル
１４、１４´、４４…インシュレーションバレル
１５…基部
１６、１６´…防水かしめ片
１７…先端部
１８、１８´…接続部
２０、５０…防水用ゴム栓
３０…電線
４５…端部
【図１】
2004311286.tif 000003
【図２】
2004311286.tif 000004
【図３】
2004311286.tif 000005
【図４】
2004311286.tif 000006
【図５】
2004311286.tif 000007
【図６】
2004311286.tif 000008
【図７】
2004311286.tif 000009
【図８】
2004311286.tif 000010
【図９】
2004311286.tif 000011
【図１０】
2004311286.tif 000012
【図１１】
2004311286.tif 000013
【図１２】
2004311286.tif 000014
【図１３】
2004311286.tif 000015